(57)【特許請求の範囲】
【請求項１】
所定長さの雄ねじ部、及び該雄ねじ部の一端側に形成された頭部を有する雄ねじ部材と、
該雄ねじ部材の前記雄ねじ部と螺合可能な雌ねじ部を備えた本体、及び該本体の一端側から前記雌ねじ部の軸方向に対して直角方向へ延出したフランジ状の鍔部を有し、該鍔部及び前記本体の少なくとも一方の外形が非円形状とされた雌ねじ部材と、
該雌ねじ部材を前記雌ねじ部の軸周りに対して回転不能且つ軸方向へ移動不能に支持すると共に該雌ねじ部の軸方向に対して直角方向へ摺動可能に支持する摺動溝、該摺動溝における前記雌ねじ部の軸方向両側に夫々形成され前記雄ねじ部材の前記雄ねじ部が通過可能なスリット、一方の該スリットを挟んで前記摺動溝と反対側に形成された略平坦な載置部、及び所定の構造物に取付けるための取付部を有し、略一定断面で長尺状のスライド支持部材と、
該スライド支持部材の前記載置部と当接し前記雄ねじ部材の前記雄ねじ部が通過可能な貫通孔と該貫通孔における前記載置部と当接する側とは反対側に形成され前記雄ねじ部材の前記頭部を収容可能な凹部とを有し前記載置部と当接する側の中間部が該載置部から離れる方向に湾曲した板状の当接片、該当接片における湾曲して最も前記載置部から離れる部位の前記凹部を有した側から前記当接片に対して直角方向へ延びる軸部、及び該軸部の先端から前記当接片と略平行に延び該当接片との間に太陽電池モジュールを含む板状モジュールの側面を挿入可能とされた板状の支持片を備えた固定部材と
を具備し、
該固定部材における前記軸部を挟んで前記貫通孔とは反対側の前記当接片と前記支持片との間に前記板状モジュールの側面を挿入させた状態で、前記スライド支持部材の前記摺動溝に挿入された前記雌ねじ部材の前記雌ねじ部に、前記載置部と当接した前記固定部材における前記当接片の前記貫通孔及び前記スライド支持部材の前記スリットを通して、前記雄ねじ部材の前記雄ねじ部を螺合させると共に、前記雄ねじ部材の前記頭部が前記凹部へ収容されるように且つ湾曲した前記当接片が変形して前記載置部と沿うように前記雄ねじ部材によって前記スライド支持部材に前記固定部材を締結固定することで、前記支持片が前記軸部を介して前記載置部の方へ移動して前記板状モジュールを前記当接片と前記支持片とで挟持させたことを特徴とする板状モジュールの固定構造。
【請求項２】
前記スライド支持部材は、
前記摺動溝を、前記雌ねじ部材の前記鍔部が前記載置部側を向く形状としたことを特徴とする請求項１に記載の板状モジュールの固定構造。
【請求項３】
前記スライド支持部材は、
前記スリットの所定位置に、前記雌ねじ部材が通過可能な通過孔を有していることを特徴とする請求項１又は請求項２に記載の板状モジュールの固定構造。
【発明の詳細な説明】
【技術分野】
【０００１】
本発明は、屋根上等に設置される太陽熱温水器や太陽電池モジュール等の板状モジュールを屋根上等に固定するための板状モジュールの固定構造に関するものである。
【背景技術】
【０００２】
従来より、例えば板状モジュールとしての太陽電池モジュールを、屋根上に設置するための固定構造としては、レール溝を備え屋根材上に取付けられる基台と、基台のレール溝内に頭部が挿入され雄ねじ部が基台から上方へ突出したボルトと、ボルトが通過可能な孔を有し太陽電池モジュールのフランジ部と係止可能な固定部材（押圧部材）と、固定部材の上側からボルトの雄ねじ部に螺合されるナットとを備え、ボルトにナットを締結することで、固定部材によってフランジ部を基台へ押圧して太陽電池モジュールを固定するものが提案されている（例えば、特許文献１）。この特許文献１のものでは、固定部材の両側で夫々太陽電池モジュールを同時に押圧して固定することができるようになっている。
【０００３】
また、屋根材上に固定するための固定孔を有した板状の固定部と、固定部の一端側に形成された所定高さの台座部と、台座部の略中央から上方へ立上る立上り部と、立上り部の上端から台座部と略平行に延びる板状の被接合部とを備えた固定部材の被接合部と台座部との間に太陽電池モジュールの側面を挿入することで太陽電池モジュールを固定するものも提案されている（例えば、特許文献２）。この特許文献２のものでは、立上り部の両側に夫々太陽電池モジュールを挿入固定することができると共に、複数の太陽電池モジュールを、一方側（軒側）から他方側（棟側）へ向かって順次固定することができるようになっている。
【発明の概要】
【発明が解決しようとする課題】
【０００４】
ところで、複数の太陽電池モジュールを屋根材上に固定する際に、屋根材の状態によっては、太陽電池モジュールの上面が一様な面とならず、見栄えが悪くなることがあった。そのため、従来では、固定部材の下側にスペーサを挿入して太陽電池モジュールの固定高さを調整するようにしていた。しかしながら、特許文献１のような固定構造では、固定部材を基台から突出したボルトによって固定するようにしているので、スペーサの高さによってはボルトにナットを螺合させることができなくなる場合がある。そのため、基台のレール溝に挿入されたボルトを、長いボルトと交換しなければならず、手間がかかる問題があった。
【０００５】
また、特許文献１の固定構造では、両側の太陽電池モジュールを同時に押圧固定しているので、複数の太陽電池モジュールを固定する前に、予め各太陽電池モジュールを位置決めする必要があり、設置に手間がかかる問題がある。これに対して、特許文献１の固定構造に対して、特許文献２の固定部材を用いることが考えられる。しかしながら、この場合、固定部材の固定部における固定孔に、基台から突出したボルトを挿通させてナットにより固定することとなるので、ボルトの先端が固定部から太陽電池モジュール側へ突出した状態となり、ボルトの長さによっては、ボルトが太陽電池モジュールに当ってしまい太陽電池モジュールを固定することができなくなる虞がある。
【０００６】
そこで、本発明は上記の実情に鑑み、太陽電池モジュール等の板状モジュールの施工性を高めることが可能な板状モジュールの固定構造の提供を課題とするものである。
【課題を解決するための手段】
【０００７】
上記の課題を解決するために、本発明に係る板状モジュールの固定構造は、「所定長さの雄ねじ部、及び該雄ねじ部の一端側に形成された頭部を有する雄ねじ部材と、該雄ねじ部材の前記雄ねじ部と螺合可能な雌ねじ部を備えた本体、及び該本体の一端側から前記雌ねじ部の軸方向に対して直角方向へ延出したフランジ状の鍔部を有し、該鍔部及び前記本体の少なくとも一方の外形が非円形状とされた雌ねじ部材と、該雌ねじ部材を前記雌ねじ部の軸周りに対して回転不能且つ軸方向へ移動不能に支持すると共に該雌ねじ部の軸方向に対して直角方向へ摺動可能に支持する摺動溝、該摺動溝における前記雌ねじ部の軸方向両側に夫々形成され前記雄ねじ部材の前記雄ねじ部が通過可能なスリット、一方の該スリットを挟んで前記摺動溝と反対側に形成された略平坦な載置部、及び所定の構造物に取付けるための取付部を有し、略一定断面で長尺状のスライド支持部材と、該スライド支持部材の前記載置部と当接し前記雄ねじ部材の前記雄ねじ部が通過可能な貫通孔と該貫通孔における前記載置部と当接する側とは反対側に形成され前記雄ねじ部材の前記頭部を収容可能な凹部とを有し前記載置部と当接する側の中間部が該載置部から離れる方向に湾曲した板状の当接片、該当接片における湾曲して最も前記載置部から離れる部位の前記凹部を有した側から前記当接片に対して直角方向へ延びる軸部、及び該軸部の先端から前記当接片と略平行に延び該当接片との間に太陽電池モジュールを含む板状モジュールの側面を挿入可能とされた板状の支持片を備えた固定部材とを具備し、該固定部材における前記軸部を挟んで前記貫通孔とは反対側の前記当接片と前記支持片との間に前記板状モジュールの側面を挿入させた状態で、前記スライド支持部材の前記摺動溝に挿入された前記雌ねじ部材の前記雌ねじ部に、前記載置部と当接した前記固定部材における前記当接片の前記貫通孔及び前記スライド支持部材の前記スリットを通して、前記雄ねじ部材の前記雄ねじ部を螺合させると共に、前記雄ねじ部材の前記頭部が前記凹部へ収容されるように且つ湾曲した前記当接片が変形して前記載置部と沿うように前記雄ねじ部材によって前記スライド支持部材に前記固定部材を締結固定することで、前記支持片が前記軸部を介して前記載置部の方へ移動して前記板状モジュールを前記当接片と前記支持片とで挟持させた」ことを特徴とする。
【０００８】
ここで、「板状モジュール」としては、「板状の太陽電池パネルの外周を枠体で囲った太陽電池モジュール」、「太陽熱温水器パネル」、「太陽熱集熱パネル」、「防音パネル」、「遮光パネル」、等を例示することができる。
【０００９】
また、「雄ねじ部材」としては、「六角ボルト」、「六角穴付ボルト」、「ナベ頭ボルト」、「皿ボルト」、等を例示することができる。また、「雌ねじ部材」としては、「鍔付ナット（フランジナット）」、「円筒状の一端側をバーリング加工又はプレス加工により拡径して鍔部を形成すると共に、筒内に雌ねじ部を形成したもの」、「外形が多角形状の板材に雌ねじ部を形成したもの」、等を例示することができる。
【００１０】
更に、「スライド支持部材」としては、「板状モジュールよりも長尺状のもの（桟状のもの）」、「板状モジュールよりも短いもの」、等を例示することができ、長手方向から見た全体の形状が、箱枠状、或いは、ハット状、とすることが望ましい。また、「スリット」としては、「スライド支持部材の全長に亘って延びたもの」、「スライド支持部材の全長よりも短く延びたもの」、等を例示することができる。なお、スリットをスライド支持部材の全長に亘って延びるようにした場合は、スライド支持部材の一部がスリットを境に分かれた状態となるので、スライド支持部材の所定位置にスリットによって分かれた両側を繋ぐ補強部を備えることが望ましい。
【００１１】
また、「所定の構造物」としては、「屋根の表面を形成する屋根材」、「屋根材が取付けられる屋地板」、「屋根を形成するための垂木等の屋根構造部材」、「板状モジュールを設置する対象物に取付けられた長尺状の桟部材」、「板状モジュールを設置する対象物に取付けられた架台」、「板状モジュールを設置する対象物との間に介装された取付金具」、「壁面」、「壁面を構成するための胴縁」、等を例示することができる。
【００１２】
また、「固定部材」としては、「軸部の両側で板状モジュールを挿入することができるもの（例えば、断面形状がエ字状のもの）」、「スライド支持部材へ締結固定することで、当接片と支持片とで板状モジュールを挟持することができるもの」、等を例示することができる。
【００１３】
これにより、スライド支持部材の摺動溝に雌ねじ部材を挿入させた上で、雌ねじ部材の雌ねじ部に固定部材の貫通孔及びスライド支持部材のスリットを通して雄ねじ部材の雄ねじ部を螺合させて、スライド支持部材の載置部に固定部材を締結固定するようにしているので、板状モジュールの高さ等を調整するためにスライド支持部材と固定部材との間にスペーサを挿入した時に、雄ねじ部材の雄ねじ部が短かった場合でも、摺動溝から雌ねじ部材を取外す必要がなく最適な長さの雄ねじ部材に簡単に交換することができ、板状モジュールの設置にかかる手間を簡略化することができる。
【００１４】
また、上述したように、スライド支持部材の摺動溝に雌ねじ部材を挿入するようにした上で、雌ねじ部材の雌ねじ部に螺合される雄ねじ部材の頭部を収容する凹部を、固定部材の当接片に備えているので、当接片の表面から雄ねじ部材が突出するのを防止することができ、固定部材における当接片と支持片との間に確実に板状モジュールの側面を挿入して固定することができると共に、スライド支持部材から板状モジュールの上面までの高さを可及的に低くすることができる。また、固定部材は、当接片と支持片との間に板状モジュールの側面を挿入することで、板状モジュールをスライド支持部材（所定の構造物）に固定するようにしているので、板状モジュールを一つずつ固定することができる。従って、板状モジュールを比較的簡単に設置することができ、施工性を高めてコストを抑制することができると共に、設置に係る工期を短縮することができる。
【００１５】
更に、スライド支持部材の摺動溝内を雌ねじ部材がスライドできるようにしており、スライド支持部材に対して任意の位置に固定部材を締結固定することができるので、所定の構造物に対して、従来では固定部材を直接固定することができなかったような位置でも、スライド支持部材を介して固定部材を固定することができ、設置の自由度を高めて板状モジュールを設置できる対象範囲を広くすることができる。
【００１６】
また、本発明に係る板状モジュールの固定構造は、上記の構成に加えて、「前記スライド支持部材は、前記摺動溝を、前記雌ねじ部材の前記鍔部が前記載置部側を向く形状とした」ことを特徴としても良い。
【００１７】
これにより、スライド支持部材の摺動溝に挿入された雌ねじ部材の雌ねじ部に、雄ねじ部材の雄ねじ部を螺合して、スライド支持部材に固定部材を締結固定すると、雌ねじ部材における接触面積の大きい鍔部側が、摺動溝内におけるスリットを挟んで載置部とは反対側の面と当接することとなるので、雌ねじ部材と雄ねじ部材との締結を緩み難くすることができると共に、雌ねじ部材に対する耐荷重性能を高くすることができ、スライド支持部材（所定の構造物）に対して板状モジュールを確実に固定することができる。
【００１８】
更に、本発明に係る板状モジュールの固定構造は、上記の構成に加えて、「前記スライド支持部材は、前記スリットの所定位置に、前記雌ねじ部材が通過可能な通過孔を有している」ことを特徴としても良い。
【００１９】
ところで、スライド支持部材の摺動溝に対しては、その長手方向の両端の何れかから雌ねじ部材を挿入することとなるが、スライド支持部材が長尺状（桟状）の場合では、端部から摺動溝に挿入した雌ねじ部材を所望の位置までスライドさせなければならず、手間がかかる問題が発生する。これに対して、本発明では、スリットの所定位置に雌ねじ部材が通過可能な通過孔を備えているので、通過孔から雌ねじ部材を摺動溝へ挿入することができ、雌ねじ部材の挿入にかかる手間を簡略化して施工性を向上させることができる。
【００２０】
また、上述したように、スリットつまり摺動溝の途中からでも通過孔を通して雌ねじ部材を摺動溝に挿入することができるので、長手方向の端部まで延びたスリットとする必要がなく、長手方向においてスリットを部分的に形成したものとすることができる。したがって、スリットが形成されていない部位では、摺動溝の外周全体が連続した状態とすることができるので、スライド支持部材の一部がスリットを境に分かれて全体の強度・剛性が低下してしまうの回避させることができ、スライド支持部材の強度・剛性を高めて、板状モジュールの固定強度を高めることができる。
【発明の効果】
【００２１】
このように、本発明によると、太陽電池モジュール等の板状モジュールの施工性を高めることが可能な板状モジュールの固定構造を提供することができる。
【図面の簡単な説明】
【００２２】
【図１】本発明の一実施形態である板状モジュールの固定構造を部分的に断面で示す側面図である。
【図２】図１における板状モジュールを省略した状態で示すＡ−Ａ断面図である。
【図３】図１における先端側の固定部材による固定構造を分解して示す斜視図である。
【図４】図１における中間側及び後端側の固定部材による固定構造の固定手順を示す説明図である。
【図５】図１のスライド支持部材とは異なる形態のスライド支持部材の例を示す斜視図である。
【図６】更に異なる形態のスライド支持部材の例を示す断面図である。
【図７】更に異なる形態のスライド支持部材の例を示す斜視図である。
【図８】図１のスライド支持部材の摺動溝にボルトの頭部を挿入した状態で示す断面図である。
【図９】図７のスライド支持部材の摺動溝にボルトの頭部を挿入した状態で示す断面図である。
【発明を実施するための形態】
【００２３】
本発明の一実施形態である板状モジュールの固定構造について、図１乃至図４に基いて説明する。図１は、本発明の一実施形態である板状モジュールの固定構造を部分的に断面で示す側面図である。図２は、図１における板状モジュールを省略した状態で示すＡ−Ａ断面図である。また、図３は、図１における先端側の固定部材による固定構造を分解して示す斜視図である。更に、図４は、図１における中間側及び後端側の固定部材による固定構造の固定手順を示す説明図である。
【００２４】
本実施形態の板状モジュールの固定構造１（以下単に、固定構造１とも称す）は、板状モジュール２として、薄板状の太陽電池パネルの外周を枠体で囲った太陽電池モジュール２ａを屋根上に設置するための構造であり、瓦やスレート等の屋根材（図示は省略）上に所定間隔で取付けられる取付部材１０と、複数の取付部材１０に跨って取付けられる長尺状のスライド支持部材２０と、スライド支持部材２０にスライド可能に支持される雌ねじ部材３０と、スライド支持部材２０上に載置され板状モジュール２の側面を挿入可能なコ字状又はエ字状の固定部材４０と、固定部材４０をスライド支持部材２０に支持された雌ねじ部材３０と協働して締結固定する雄ねじ部材５０と、固定部材４０を挟んで両側に挿入支持された板状モジュール２同士を電気的に接続するアース金具６０とを備えている。
【００２５】
この固定構造１は、詳細な図示は省略するが、複数の取付部材１０によって一つのスライド支持部材２０を屋根材上に取付支持すると共に、少なくとも二つのスライド支持部材２０上に一つの板状モジュール２が載置され、板状モジュール２の対向する二辺が固定部材４０によってスライド支持部材２０上に固定されるようになっている。
【００２６】
本例の固定構造１における取付部材１０は、図１及び図３に示すように、板状で略矩形状の底部１１と、底部１１の対向する二辺から上方へ延出する板状の一対の載置片１２と、載置片１２が延出する底部１１の二辺に対して略直交する二辺から載置片１２と側面が繋がった状態で上方へ延出すると共に載置片１２よりも高く上方へ突出する板状の一対の取付片１３と、一対の取付片１３における載置片１２よりも高い位置に形成され上下方向へ延びるた長孔状の取付孔１４とを備えている。この取付部材１０における一対の取付片１３の間隔は、その間にスライド支持部材２０を挿入可能な間隔とされている。
【００２７】
また、取付部材１０は、載置片１２と取付片１３とが互いの側面同士で繋がった部位（四隅）に載置片１２よりも低く切欠かれた切欠き部１５と、直交する二つの載置片１２及び取付片１３と底部１１との境に、載置片１２及び取付片１３を夫々貫通する開口部１６と、取付片１３の所定位置に貫通する係止孔１７と、を備えている。取付部材１０の切欠き部１５は、図示は省略するが、一対の取付片１３の間にスライド支持部材２０を挿入した時に、スライド支持部材２０の下面との間に、板状モジュール２の配線ケーブルを挿通可能な隙間を形成することができるものである。また、取付部材１０の開口部１６は、取付部材１０内に進入した雨水等を外部へ排水するためのものである。更に、取付部材１０の係止孔１７は、係止孔１７を通してスライド支持部材２０へ係止ビスをねじ込むことで、スライド支持部材２０が取付部材１０に対して長手方向へ相対移動するのを阻止することができるようになっている。なお、本例の取付部材１０は、高耐食メッキ鋼板やステンレス板等の所定厚の板金を、プレス加工により塑性変形させることで成形されている。
【００２８】
この取付部材１０は、図示は省略するが、屋根材に対して直接、又は、所定の支持金具を介して取付けられるようになっている。また、取付部材１０は、一対の取付片１３の間にスライド支持部材２０を挿入した上で、取付片１３の取付孔１４を通して外側から取付ボルト３を、スライド支持部材２０の後述する溝状の取付部２４内に挿入された六角形の取付ナット４に螺合させて締付けることで、スライド支持部材２０を取付固定することができるようになっている（図３を参照）。
【００２９】
スライド支持部材２０は、図２及び図３に示すように、雌ねじ部材３０を回転不能且つ雌ねじ部の軸方向へ移動不能に支持すると共にスライド支持部材２０の長手方向（雌ねじ部の軸方向に対して直角方向）へ摺動可能に支持する摺動溝２１と、摺動溝２１における雌ねじ部の軸方向両側に夫々形成され雄ねじ部材５０が通過可能なスリット２２と、外側のスリット２２を挟んで摺動溝２１と反対側の上面を形成する略平坦な載置部２３と、両側面に形成され取付部材１０へ取付けるための取付部２４と、取付部２４よりも上側で両側面同士を連結する板状の補強部２５と、を有しており、断面の外形が略矩形状で箱枠状に形成されると共に同一断面形状で長尺状に形成されている。
【００３０】
このスライド支持部材２０の摺動溝２１は、載置部２３の中央下側に配置されており、雌ねじ部材３０の鍔部３２が載置部２３側を向くように形成されている。また、スライド支持部材２０の取付部２４は、両側面の上下方向中央の下端付近に配置され夫々側面に開口した略十字状の溝とされており、取付部材１０へ取付けるため六角形の取付ナット４を回転不能且つスライド支持部材２０の長手方向へスライド可能に保持することができるようになっている。
【００３１】
また、スライド支持部材２０は、下面の両端近傍で逆Ｖ状に下面から上方へ窪む二つの案内溝２６と、内側の上部隅部に形成され略Ｃ字形状のビス止部２７と、を備えている。スライド支持部材２０の案内溝２６は、板状モジュール２の配線ケーブルを沿わせた状態で、スライド支持部材２０ごと所定の結束バンドで締付けることで、配線ケーブルをスライド支持部材２０に沿って案内するためのものである。なお、本例では、スライド支持部材２０が、アルミ合金等の押出型材とされている。
【００３２】
雌ねじ部材３０は、外形が六角形状で貫通した雌ねじ部を備えた本体３１と、本体３１の一端側から雌ねじ部の軸方向に対して直角方向へ延出したフランジ状の鍔部３２と、を有しており、所謂、市販の鍔付ナット（フランジ付ナット）とされている。この雌ねじ部材３０は、鍔部３２を上側へ向けた上でスライド支持部材２０の摺動溝２１内を、その長手方向へ回転不能な状態でスライドすることができるようになっている。なお、本例の雌ねじ部材３０は、鍔部３２が湾曲したナベ皿状に形成されている。
【００３３】
固定部材４０は、図示するように、先端側（屋根の軒側）に用いる断面コ字状の固定部材４０Ａと、中間側及び後端側（屋根の棟側）に用いる断面エ字状の固定部材４０Ｂと、を有しており、何れの固定部材４０Ａ，４０Ｂも基本的な構成は略同じ構成となっている。なお、固定部材４０Ａは、本発明を構成するものではない。この固定部材４０は、スライド支持部材２０の載置部２３と当接する板状の当接片４１と、当接片４１から直角方向上方へ延びる軸部４２と、軸部４２の先端から当接片４１と略平行に延びると共に当接片４１よりも短く延びた板状の支持片４３と、を備えている。この固定部材４０は、当接片４１と支持片４３との間に板状モジュール２の側面を挿入することで、板状モジュール２を支持することができるようになっている。
【００３４】
また、固定部材４０の当接片４１は、図示するように、軸部４２側から先端側へ向かうに従って上下方向の厚さが厚くなるように形成されている。また、当接片４１には、雄ねじ部材５０の雄ねじ部５１が通過可能とされた上下方向へ貫通する貫通孔４１ａと、貫通孔４１ａと同軸上でスライド支持部材２０の載置部２３と当接する側とは反対側に形成され雄ねじ部材５０の頭部５２を収容可能な凹部５１ｂと、を備えている。
【００３５】
先端側に用いる固定部材４０Ａは、図示するように、断面が略コ字状に形成されており、上下方向へ延びた軸部４２の上下両端から当接片４１と支持片４３が同じ方向へ延びた形態となっている。一方、中間側及び後端側に用いる固定部材４０Ｂは、断面が略エ字状に形成されており、上下方向へ延びた軸部４２の上下両端から当接片４１と支持片４３が夫々左右両側へ延びた形態となっている。これら固定部材４０Ａ，４０Ｂは、アルミ合金等の押出型材とされている。
【００３６】
固定部材４０Ｂは、図４（ａ）に示すように、スライド支持部材２０に雌ねじ部材３０及び雄ねじ部材５０を用いて締結固定する前の状態では軸部４２の直下が最も高くなるように湾曲した底面とされており、当接片４１の貫通孔４１ａを通して雄ねじ部材５０をスライド支持部材２０の摺動溝２１内に挿入された雌ねじ部材３０へ螺合して締付けることで、湾曲した底面が変形して平坦な底面になるようになっている。
【００３７】
また、固定部材４０Ｂは、軸部４２を挟んで両側の当接片４１に夫々上下方向へ貫通した一対の挿通孔４１ｃが形成されており、貫通孔４１ａが形成された側では軸部４２の側面に沿った位置に、貫通孔４１ａが形成された側とは軸部４２を挟んで反対側では軸部４２から所定量離れた位置に夫々形成されている。一対の挿通孔４１ｃは、図示は省略するが、固定部材４０Ｂが延びる方向へ長く延びた長孔状に形成されている。この挿通孔４１ｃは、詳細は後述するが、アース金具６０が下側から挿入されるものである。
【００３８】
雄ねじ部材５０は、所定長さの雄ねじ部５１と、雄ねじ部５１の一端側に形成され雄ねじ部５１よりも大径の頭部５２と、を備えている。なお、図示は省略するが、本例の雄ねじ部材５０は、頭部５２の上面に六角穴が形成された六角穴付ボルトとされている。
【００３９】
アース金具６０は、固定部材４０Ｂの底面に沿って延びた板状の底片６１と、底片６１の一端側から上方へ延出し固定部材４０Ｂにおける軸部４２を挟んで貫通孔４１ａとは反対側に形成された挿通孔４１ｃに下側から挿入される第一挿入片６２と、底片６１の他端側から上方へ第一挿通片６２よりも高く延出し固定部材４０Ｂにおける軸部４２を挟んで貫通孔４１ａと同じ側に形成された挿通孔４１ｃに下側から挿入される第二挿入片６３と、第一挿入片６２及び第二挿入片６３の上端に配置された先端が尖った突刺部６４と、を備えている。なお、突刺部６４は、第一挿入片６２の上端では上方へ、第二挿入片６３の上端では第一挿入片６２とは反対側の方向へ夫々先端が向くように配置されている。
【００４０】
このアース金具６０は、第一挿入片６２の突刺部６４が、軸部４２を挟んで貫通孔４１ａとは反対側（軒側）に支持された板状モジュール２の底面に突き刺さると共に、第二挿入片６３の突刺部６４が、軸部４２を挟んで貫通孔４１ａと同じ側（棟側）に支持された板状モジュール２の側面に突き刺さり、夫々の板状モジュール２の表面に形成された絶縁被膜を破って板状モジュール２同士を電気的に接続することができるようになっている。なお、アース金具６０は、詳細な図示は省略するが、所定幅のステンレス鋼板等の金属板材を屈曲形成したものであり、突刺部６４が幅方向の両端に形成されている。
【００４１】
次に、本実施形態における板状モジュール２の固定方法について説明する。まず、屋根上に設置する板状モジュール２の数や配置パターン等に応じて、屋根上に複数の取付部材１０を所定間隔で取付ける。そして、屋根材上に取付けられた複数の取付部材１０を介して、屋根の流れ方向（傾斜方向）へ延びるようにスライド支持部材２０を取付ける。取付部材１０へのスライド支持部材２０の取付けは、スライド支持部材２０の取付部２４内に取付ナット４を挿入した上で、取付部材１０における一対の取付片１３の間にスライド支持部材２０を挿入して、取付部材１０の載置片１２上にスライド支持部材２０を載置する。そして、取付片１３の外側から取付孔１４を通して取付ボルト３を、取付部２４内に挿入された取付ナット４へ螺合させて締付けことでスライド支持部材２０を取付部材１０へ取付固定する。
【００４２】
スライド支持部材２０の取付けが完了したら、続いて、先端側（軒側）用の固定部材４０Ａの貫通孔４１ａに上側から雄ねじ部材５０を挿通すると共に、雄ねじ部材５０の雄ねじ部５１の下端に鍔部３２が上を向くように雌ねじ部材３０を螺合させる（図３を参照）。続いて、スライド支持部材２０の先端側から摺動溝２１内へ、雄ねじ部材５０が螺合された雌ねじ部材３０を挿入して、固定部材４０Ａと共に雌ねじ部材３０をスライドさせる。固定部材４０Ａを、コ字状の開口が棟側を向いた状態で所定位置にスライドさせたら、その当接片４１をスライド支持部材２０の載置部２３上に載置させた上で雄ねじ部材５０を締付けて、固定部材４０Ａをスライド支持部材２０上に締結固定する。
【００４３】
続いて、スライド支持部材２０の側面に、固定部材４０Ａを固定する雄ねじ部材５０よりも先端側（軒側）で雄ねじ部材５０の雄ねじ部５１と当接可能な位置に、一方の側面側から他方の側面側へ向かって長ボルト５を貫通させると共に、長ボルト５の先端にナット６を螺合させて長ボルト５が抜けないようにする（図３等を参照）。これにより、長ボルト５に雄ねじ部材５０が当接することで、固定部材４０Ａが先端側（軒側）へ移動するのを阻止することができるようになっている。
【００４４】
なお、固定部材４０Ａをスライド支持部材２０に固定する前に、一つのスライド支持部材２０に対して必要な数の中間側等用の固定部材４０Ｂを、固定部材４０Ａと同様に、貫通孔４１ａに挿通した雄ねじ部材５０の下端に雌ねじ部材３０を螺合させた状態で、その雌ねじ部材３０を予めスライド支持部材２０の摺動溝２１内に挿入して、固定部材４０Ｂをスライド支持部材２０における凡その位置までスライドさせた状態としておく。
【００４５】
そして、スライド支持部材２０に固定部材４０Ａを固定したら、棟側へ向かって開口した当接片４１と支持片４３との間に板状モジュール２の側面を挿入する。この際に、雄ねじ部材５０の頭部５２が、固定部材４０Ａの凹部４１ｂ内に収容された状態となっており、雄ねじ部材５０に当ることなく板状モジュール２の側面を当接片４１と支持片４３との間に挿入することができるようになっている。
【００４６】
続いて、軒側の側面が固定部材４０Ａに支持された板状モジュール２の棟側の側面が、予めスライド支持部材２０にスライド可能に支持させておいた固定部材４０Ｂの軸部４２を挟んで貫通孔４１ａとは反対側の当接片４１と支持片４３との間に挿入されるように、固定部材４０Ｂを軒側へスライドさせる。そして、板状モジュール２の側面と固定部材４０Ｂの軸部４２とが略当接するような位置までスライドさせたら、その状態で雄ねじ部材５０を締付ける。なお、雄ねじ部材５０を締付ける前に、固定部材４０Ｂの一対の挿通孔４１ｃにアース金具６０の第一挿入片６２及び第二挿入片６３を夫々挿入させた状態としておく（図４（ａ）を参照）。
【００４７】
この固定部材４０Ｂの貫通孔４１ａに挿入された雄ねじ部材５０を締付けると、雄ねじ部材５０の頭部５２により固定部材４０Ｂの当接片４１が下方へ押圧され、固定部材４０Ｂの湾曲した底面がスライド支持部材２０の載置部２３と沿うように変形すると同時に、固定部材４０Ｂの一対の支持片４３が軸部４２を介して下方へ移動することとなる（図４（ａ）を参照）。そして、固定部材４０Ｂの支持片４３が板状モジュール２の上面に当接すると共に、当接片４１の軸部４２から遠ざかった先端側の上端が基端側よりも相対的に上昇して板状モジュール２の下面に当接し、板状モジュール２を当接片４１と支持片４３とで挟持した状態となり、雄ねじ部材５０と雌ねじ部材３０とにより固定部材４０Ｂがスライド支持部材２０に締結固定された状態となる（図４（ｂ）を参照）。なお、この状態では、図示するように、アース金具６０の第一挿入片６２の上端に形成された突刺部６４が、板状モジュール２の下面に突き刺さった状態となっている。
【００４８】
固定部材４０Ｂをスライド支持部材２０に固定したら、固定した固定部材４０Ｂにおける軸部４２を挟んで貫通孔４１ａと同じ側（棟側）の当接片４１と支持片４３との間に、次の板状モジュール２の側面を挿入し（図４（ｂ）を参照）、板状モジュール２の側面がアース金具６０における第二挿入片６３の上端の突刺部６４に突き刺さるまで押込むことで、板状モジュール２の軒側の側面を支持させる（図４（ｃ）を参照）。そして、板状モジュール２の棟側の側面については、上述と同様の作業を繰返すことでスライド支持部材２０上に次の固定部材４０Ｂによって締結固定させ、屋根上に複数の板状モジュール２を設置することができる。
【００４９】
ところで、板状モジュール２を屋根の流れ方向だけでなく流れ方向に対して直角方向（横方向）へも複数配置する場合、締結固定されるスライド支持部材２０が異なるので、横方向に隣接した板状モジュール２同士の高さが異なってしまうことがある。この場合では、雄ねじ部材５０の締付けを緩めた上で、スライド支持部材２０と固定部材４０との間に所定厚さのスペーサを挿入して固定部材４０を締結固定することで板状モジュール２同士の高さを調整する。なお、スペーサの厚さによっては、雄ねじ部材５０の雄ねじ部５１の長さが短くなって雌ねじ部材３０へ充分に締付けることができなくなる場合があるが、充分な長さの雄ねじ部材５０に交換すれば良い。
【００５０】
このように、本実施形態の板状モジュール２の固定構造１によると、スライド支持部材２０の摺動溝２１に雌ねじ部材３０を挿入させた上で、雌ねじ部材３０の雌ねじ部に固定部材４０の貫通孔４１ａ及びスライド支持部材２０のスリット２２を通して雄ねじ部材５０の雄ねじ部５１を螺合させて、スライド支持部材２０の載置部２３に固定部材４０を締結固定するようにしているので、板状モジュール２の高さを調整するためにスライド支持部材２０と固定部材４０との間にスペーサを挿入した時に、雄ねじ部材５０の雄ねじ部５１が短かった場合でも、摺動溝２１から雌ねじ部材３０を取外す必要がなく最適な長さの雄ねじ部材５０に簡単に交換することができ、板状モジュール２の設置にかかる手間を簡略化することができる。
【００５１】
また、スライド支持部材２０の摺動溝２１に雌ねじ部材３０を挿入するようにした上で、雌ねじ部材３０の雌ねじ部に螺合される雄ねじ部材５０の頭部５２を収容する凹部４１ｂを、固定部材４０の当接片４１に備えているので、当接片４１の表面から雄ねじ部材５０が突出するのを防止することができ、固定部材４０における当接片４１と支持片４３との間に確実に板状モジュール２の側面を挿入して固定することができると共に、スライド支持部材２０から板状モジュール２の上面までの高さを可及的に低くすることができる。また、固定部材４０は、当接片４１と支持片４３との間に板状モジュール２の側面を挿入することで、板状モジュール２をスライド支持部材２０（所定の構造物）に固定するようにしているので、板状モジュール２を一つずつ固定することができる。従って、板状モジュール２を比較的簡単に設置することができ、施工性を高めてコストを抑制することができると共に、設置に係る工期を短縮することができる。
【００５２】
更に、雌ねじ部材３０がスライド支持部材２０の摺動溝２１内をスライド可能とされており、スライド支持部材２０に対して任意の位置に固定部材４０を締結固定することができるので、所定の構造物に対して、従来では固定部材を直接固定することができなかったような位置でも、スライド支持部材２０を介して固定部材４０を固定することができ、設置の自由度を高めて板状モジュール２を設置できる対象範囲を広くすることができる。
【００５３】
また、本例の固定構造１によると、スライド支持部材２０の摺動溝２１に挿入された雌ねじ部材３０の雌ねじ部に雄ねじ部材５０の雄ねじ部５１を螺合して、スライド支持部材２０に固定部材４０を締結固定すると、雌ねじ部材３０における接触面積の大きい鍔部３２側が、摺動溝２１内におけるスリット２２を挟んで載置部２３とは反対側の面と当接することとなるので、雌ねじ部材３０と雄ねじ部材５０との締結を緩み難くすることができると共に、雌ねじ部材３０に対する耐荷重性能を高くすることができ、スライド支持部材２０に対して板状モジュール２を確実に固定することができる。
【００５４】
以上、本発明について好適な実施形態を挙げて説明したが、本発明はこの実施形態に限定されるものではなく、以下に示すように、本発明の要旨を逸脱しない範囲において、種々の改良及び設計の変更が可能である。
【００５５】
すなわち、上記の実施形態では、スライド支持部材２０として、スリット２２が長手方向の全長に亘って形成されたものを示したが、これに限定するものではなく、例えば、図５に示すようなスライド支持部材２０Ａとしても良い。このスライド支持部材２０Ａは、スリット２２が部分的に形成されていると共に、スリット２２の一方の端部（例えば、棟側の端部）に雌ねじ部材３０が通過可能な大径の通過孔２２ａを備えており、通過孔２２ａを通して雄ねじ部材５０が螺合された雌ねじ部材３０を摺動溝２１内へ挿入することができるようになっている。なお、このスライド支持部材２０Ａでは、スリット２２以外の部位では摺動溝２１の左右が連結された状態となっており、左右の側面同士を連結する補強部を廃止している。
【００５６】
このスライド支持部材２０Ａによると、上記と同様の作用効果を奏することができる他に、通過孔２２ａから雌ねじ部材３０を摺動溝２１内へ挿入することができるので、スライド支持部材２０の端部から雌ねじ部材３０を摺動溝２１内へ挿入する場合と比較して、挿入にかかる手間を簡略化して施工性を向上させることができる。
【００５７】
なお、スライド支持部材２０Ａにおいて、載置部２３側のスリット２２を全長に亘って形成すると共に、摺動溝２１の下側のスリット２２を部分的に形成するようにしても良く、これによっても上記と同様の作用効果を奏することができる。また、スライド支持部材２０において、スライド支持部材２０Ａの通過孔２２ａと同様の通過孔２２ａを形成するようにしても良く、上記と同様に、雌ねじ部材３０の挿入にかかる手間を簡略化して施工性を向上させることができる。
【００５８】
また、上記の実施形態では、スライド支持部材２０として、ナベ皿状の鍔部３２を有した雌ねじ部材３０に対応する形状の摺動溝２１を備えたものを示したが、これに限定するものではなく、例えば、図６に示すような、平皿状の鍔部３２を有した雌ねじ部材３０に対応する形状の摺動溝２１としても良く、上記と同様の作用効果を奏することができる。
【００５９】
更に、上記の実施形態では、スライド支持部材２０として、取付部材１０を介して屋根材に取付ける形態のものを示したが、これに限定するものではなく、例えば、図７に示すような、屋根材に対して直接取付けることが可能なスライド支持部材７０としても良い。このスライド支持部材７０は、図７に示すように、雌ねじ部材３０を回転不能且つ雌ねじ部の軸方向へ移動不能に支持すると共にスライド支持部材７０の長手方向（雌ねじ部の軸方向に対して直角方向）へ摺動可能に支持し下方が開放された摺動溝７１と、摺動溝７１の上面側にスライド支持部材７０の長さよりも短く形成され雄ねじ部材５０が通過可能なスリット７２と、スリット７２を挟んで摺動溝７１と反対側の上面を形成する略平坦な載置部７３と、載置部７３の左右両側に夫々形成されスライド支持部材７０の長手方向へ延びると共に上側が開放された上部溝７４と、夫々の上部溝７４における摺動溝７１側とは反対側の外側の外壁と連続し下方へ延出した一対の立壁部７５と、一対の立壁部７５の下端同士を連結すると共に立壁部７５よりも左右方向外側へ延出し屋根材の上面へ取付けるための平板状の取付部７６と、を備えている。
【００６０】
このスライド支持部材７０は、図示するように、上面となる載置部７３の長手方向両端部付近に所定径で上下方向へ貫通した通過孔７８が形成されており、他方側（図中後側）の通過孔７８がスリット７２と連通した状態となっている。この通過孔７８は、雌ねじ部材３０及び取付用座金が通過可能な大きさの内径とされている。また、図示は省略するが、取付部７６における通過孔７７と同軸上の位置に、上下方向へ貫通した取付孔が形成されており、取付用座金７を挿入した取付用ビス８を、通過孔７７を通過させた上で取付孔を介して屋根材上へねじ込むことで、スライド支持部材７０を取付けることができるようになっている（図７を参照）。
【００６１】
また、スライド支持部材７０は、取付部７６における立壁部７５よりも外側へ延出した部位に、上下方向へ貫通した複数の補助取付孔７６ａが形成されている。スライド支持部材７０の一対の上部溝７４は、上端が内側へ僅かに突出した形態とされており、その突出した部位を用いて上部溝７４内に挿入した部材を係止することができるようになっている。本例のスライド支持部材７０は、アルミ合金等の押出型材を適宜長さ（例えば、１００ｍｍ〜３００ｍｍ）に切断した上で、スリット７２、通過孔７７、取付孔及び補助取付孔７６ａ等が切削加工等により形成されている。
【００６２】
このスライド支持部材７０は、スリット７２と連通した通過孔７７が棟側を向くように屋根材上に取付けた上で、スリット７２と連通した通過孔７７を介して摺動溝７１内へ雌ねじ部材３０を挿入することで、上記と同様の手順で板状モジュール２を締結固定することができるようになっており、上記と同様の作用効果を奏することができる。
【００６３】
なお、上記の実施形態では、スライド支持部材２０，７０等の摺動溝２１，７１内に雌ねじ部材３０を挿入したものを示したが、本例のスライド支持部材２０，７０等は、図８及び図９に示すように、摺動溝２１，７１内に雄ねじ部材５０（図では、角根ボルト）の頭部を挿入することもできるようになっており、施工現場等の状況に合せて、雌ねじ部材３０を挿入させたり、雄ねじ部材５０を挿入させたりすることができ、汎用性の高いスライド支持部材２０，７０とされている。
【００６４】
また、上記の実施形態では、板状モジュール２として太陽電池モジュール２ａを適用した例を示したが、これに限定するものではなく、太陽熱温水器パネル、太陽熱集熱パネル、防音パネル、遮光パネル、等に適用しても良い。
【符号の説明】
【００６５】
１  板状モジュールの固定構造
２  板状モジュール
２ａ  太陽電池モジュール
１０  取付部材
２０  スライド支持部材
２０Ａ  スライド支持部材
２０Ｂ  スライド支持部材
２１  摺動溝
２２  スリット
２２ａ  通過孔
２３  載置部
２４  取付部
３０  雌ねじ部材
３１  本体
３２  鍔部
４０  固定部材
４０Ａ  固定部材
４０Ｂ  固定部材
４１  当接片
４１ａ  貫通孔
４１ｂ  凹部
４１ｃ  挿通孔
４２  軸部
４３  支持片
５０  雄ねじ部材
５１  雄ねじ部
５２  頭部
６０  アース金具
７０  スライド支持部材
７１  摺動溝
７２  スリット
７３  載置部
７４  上部溝
７５  立壁部
７６  取付部
７６ａ  補助取付孔
７７  通過孔
【先行技術文献】
【特許文献】
【００６６】
【特許文献１】特開２００８−１０１４６６号公報
【特許文献２】特開２００８−３０３６６０号公報
【図１】
0005611707.tif 000002
【図２】
0005611707.tif 000003
【図３】
0005611707.tif 000004
【図４】
0005611707.tif 000005
【図５】
0005611707.tif 000006
【図６】
0005611707.tif 000007
【図７】
0005611707.tif 000008
【図８】
0005611707.tif 000009
【図９】
0005611707.tif 000010